(57)【特許請求の範囲】
【請求項１】
エレベーターの一対のドアの一方の下部に取り付けられ、前記一対のドアの他方の側に平行に延伸した第１嵌合部材と、
前記一対のドアの他方の下部に取り付けられ、前記一対のドアが閉まった状態において、前記第１嵌合部材を上下方向から挟み込む第２嵌合部材と、
を備え、
前記第１嵌合部材は、第１嵌合部材上部及び第１嵌合部材下部を有し、
前記第１嵌合部材上部は、前記一対のドアの一方の下部に取り付けられ、
前記第１嵌合部材下部は、敷居の溝の内部で水平方向に延伸し、
前記第２嵌合部材は、第２嵌合部材上部及び第２嵌合部材下部を有し、
前記第２嵌合部材上部は、前記一対のドアの他方の下部に取り付けられ、
前記第２嵌合部材下部は、前記敷居の内部で上下方向に、且つ前記一対のドアの一方の側に向かって延伸するとともに、互いの間に上下方向に隙間を設けられた上部受け部及び下部受け部を有し、
前記一対のドアが閉まった状態において、前記第１嵌合部材下部が前記第２嵌合部材下部の前記上部受け部及び前記下部受け部の前記隙間に挿入されることで、前記第２嵌合部材が前記第１嵌合部材を上下方向から挟み込むエレベーターのドア外れ防止装置。
【請求項２】
前記第１嵌合部材と前記第２嵌合部材とは、前記一対のドアを案内する敷居の溝に挿入された請求項１に記載のエレベーターのドア外れ防止装置。
【請求項３】
前記第１嵌合部材は、前記一対のドアの一方の下部に設けられたドアシューの取り付け用の複数の開口の間隔と同一の間隔の複数の開口を有する請求項１または請求項２に記載のエレベーターのドア外れ防止装置。
【請求項４】
前記第１嵌合部材の複数の開口は、前記第１嵌合部材の下端側が開放された半円状である請求項３に記載のエレベーターのドア外れ防止装置。
【請求項５】
前記第２嵌合部材は、前記一対のドアの他方の下部に設けられたドアシューの取り付け用の複数の開口の間隔と同一の間隔の複数の開口を有する請求項１から請求項４のいずれか１項に記載のエレベーターのドア外れ防止装置。
【請求項６】
前記第２嵌合部材の複数の開口は、前記第２嵌合部材の下端側が開放された半円状である請求項５に記載のエレベーターのドア外れ防止装置。
【発明の詳細な説明】
【技術分野】
【０００１】
本開示は、エレベーターのドア外れ防止装置に関する。
【背景技術】
【０００２】
特許文献１は、エレベーターのドア外れ防止装置を開示する。当該ドア外れ防止装置によれば、フックを用いてエレベーターのかごドアのはずれを防止する。
【先行技術文献】
【特許文献】
【０００３】
【特許文献１】日本特開２０１７−２４９０３号公報
【発明の概要】
【発明が解決しようとする課題】
【０００４】
しかしながら、特許文献１に記載のエレベーターのドア外れ防止装置は、フックを回転させることで、エレベーターのドアを固定する。このため、ドア外れ防止装置の構造が複雑化する。【０００５】
本開示は、上述の課題を解決するためになされた。本開示の目的は、簡易な構造でエレベーターのドアのはずれを防止することができるエレベーターのドア外れ防止装置を提供することである。
【課題を解決するための手段】
【０００６】
本開示に係るエレベーターのドア外れ防止装置は、エレベーターの一対のドアの一方の下部に取り付けられ、前記一対のドアの他方の側に平行に延伸した第１嵌合部材と、前記一対のドアの他方の下部に取り付けられ、前記一対のドアが閉まった状態において、前記第１嵌合部材を上下方向から挟み込む第２嵌合部材と、を備え、前記第１嵌合部材は、第１嵌合部材上部及び第１嵌合部材下部を有し、前記第１嵌合部材上部は、前記一対のドアの一方の下部に取り付けられ、前記第１嵌合部材下部は、敷居の溝の内部で水平方向に延伸し、前記第２嵌合部材は、第２嵌合部材上部及び第２嵌合部材下部を有し、前記第２嵌合部材上部は、前記一対のドアの他方の下部に取り付けられ、前記第２嵌合部材下部は、前記敷居の内部で上下方向に、且つ前記一対のドアの一方の側に向かって延伸するとともに、互いの間に上下方向に隙間を設けられた上部受け部及び下部受け部を有し、前記一対のドアが閉まった状態において、前記第１嵌合部材下部が前記第２嵌合部材下部の前記上部受け部及び前記下部受け部の前記隙間に挿入されることで、前記第２嵌合部材が前記第１嵌合部材を上下方向から挟み込む。
【発明の効果】
【０００７】
本開示によれば、第２嵌合部材は、一対のドアが閉まった状態において、第１嵌合部材を上下方向から挟み込む。このため、簡易な構造でエレベーターのドアの外れを防止することができる。
【図面の簡単な説明】
【０００８】
【図１】実施の形態１におけるエレベーターのドア外れ防止装置が適用されるエレベーターのかごの正面図である。
【図２】実施の形態１におけるエレベーターのドア外れ防止装置が適用されるかごドアの斜視図である。
【図３】実施の形態１におけるエレベーターのドア外れ防止装置が適用されるかごドアの要部の縦断面図である。
【図４】実施の形態１におけるエレベーターのドア外れ防止装置が適用されるかごドアの要部の縦断面図である。
【図５】実施の形態１におけるエレベーターのドア外れ防止装置が適用されるかごドアの要部の正面図である。
【図６】実施の形態２におけるエレベーターのドア外れ防止装置が適用されるかごドアの要部の正面図である。
【発明を実施するための形態】
【０００９】
実施の形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターのドア外れ防止装置が適用されるエレベーターのかごの正面図である。
【００１１】
図１において、エレベーターのかご１は、図示されない昇降路の内部を昇降し得るように設けられる。天井１ａは、かご１の上部となる。
【００１２】
例えば、一対のかごドア２のそれぞれは、下部に複数の開口部を有する。一対のかごドア２は、両開き式である。かごドア２の一方は、かご１の出入口の一側に設けられる。かごドア２の他方は、かご１の出入口の他側に設けられる。図１においては、一対のかごドア２は、全閉している。
【００１３】
一対のかごドア２の一方は、一対のドアシュー２ａを備える。一対のドアシュー２ａは、複数の開口部を有する。一対のドアシュー２ａの各々は、一対のかごドア２の一方の下部に設けられる。一対のドアシュー２ａの各々は、脚部により一対のかごドア２の一方に連結される。
【００１４】
一対のかごドア２の他方は、一対のドアシュー２ｂを備える。一対のドアシュー２ｂは、複数の開口部を有する。一対のドアシュー２ｂの各々は、一対のかごドア２の他方の下部に設けられる。一対のドアシュー２ｂの各々は、脚部により一対のかごドア２の他方に連結される。
【００１５】
一対のかごドア２は、ドア外れ防止装置１２を備える。ドア外れ防止装置１２は、一対のかごドア２の下部に設けられる。ドア外れ防止装置１２は、一対のかごドア２の各々の戸当り側の端部に設けられる。
【００１６】
かご敷居３は、かご１の出入口の下部に設けられる。かご敷居３は、溝４を有する。溝４は、一対のドアシュー２ａと一対のドアシュー２ｂとを案内し得るように形成される。
【００１７】
一対のドアハンガー５の一方の下端部は、一対のかごドア２の一方の上端部に連結される。一対の前方ローラ６の一方は、一対のドアハンガー５の一方の前端部に設けられる。一対の後方ローラ７の一方は、一対のドアハンガー５の一方の後端部に設けられる。一対の連結具８の一方は、一対の前方ローラ６の一方と一対の後方ローラ７の一方との間に設けられる。一対の連結具８の一方の下端部は、一対のドアハンガー５の一方の上端部に連結される。
【００１８】
一対のドアハンガー５の他方の下端部は、一対のかごドア２の他方の上端部に連結される。一対の前方ローラ６の他方は、一対のドアハンガー５の他方の前端部に設けられる。一対の後方ローラ７の他方は、一対のドアハンガー５の他方の後端部に設けられる。一対の連結具８の他方は、一対の前方ローラ６の他方と一対の後方ローラ７の他方との間に設けられる。一対の連結具８の他方の下端部は、一対のドアハンガー５の他方の上端部に連結される。
【００１９】
ハンガーレール９は、かご１の出入口の上方に設けられる。ハンガーレール９の長手方向は、水平方向に設定される。ハンガーレール９は、一対の前方ローラ６と一対の後方ローラ７とを下方から支持する。
【００２０】
一対のプーリ１０の一方は、ハンガーレール９の一端部の上方に設けられる。一対のプーリ１０の他方は、ハンガーレール９の他端部の上方に設けられる。
【００２１】
ベルトＶは、一対のプーリ１０に巻き回される。ベルトＶの下側は、一対の連結具８の一方の上端部に連結される。ベルトＶの上側は、一対の連結具８の他方の上端部に連結される。
【００２２】
回転電機１１は、ドアモータとして設けられる。回転電機１１は、かご１の天井１ａよりも下方に設けられる。回転電機１１は、ハンガーレール９の一端部の上方に設けられる。回転電機１１の回転軸は、プーリ１０の一方を回転自在に支持する。
【００２３】
一対のプーリ１０の一方は、回転電機１１の回転軸の回転に追従して回転する。ベルトＶは、一対のプーリ１０の一方の回転に追従して循環移動する。一対の連結具８は、ベルトＶの循環移動に追従して互いに反対方向に移動する。
【００２４】
一対のドアハンガー５は、一対の連結具８にそれぞれ追従して互いに反対方向に移動する。一対のかごドア２は、一対のドアハンガー５にそれぞれ追従して互いに反対方向に移動する。
【００２５】
次に、図２から図５を用いて、ドア外れ防止装置の構成を説明する。
図２は実施の形態１におけるエレベーターのドア外れ防止装置が適用されるかごドアの斜視図である。図３と図４とは実施の形態１におけるエレベーターのドア外れ防止装置が適用されるかごドアの要部の縦断面図である。図５は実施の形態１におけるエレベーターのドア外れ防止装置が適用されるかごドアの要部の正面図である。
【００２６】
図２に示されるように、ドア外れ防止装置１２は、第１嵌合部材１２ａと第２嵌合部材１２ｂとを備える。
【００２７】
例えば、第１嵌合部材１２ａは、板状の部材である。例えば、第１嵌合部材１２ａの断面は、Ｌ字状である。例えば、第１嵌合部材１２ａは、板状の部材を折り曲げることにより形成される。第１嵌合部材１２ａは、上部と下部を有する。例えば、第１嵌合部材１２ａの上部は、板状の部材を折り曲げた際の鉛直面である。例えば、第１嵌合部材１２ａの下部は、板状の部材を折り曲げた際の水平面である。第１嵌合部材１２ａの下部は、第１嵌合部材１２ａの上部の下端に接続される。
【００２８】
第１嵌合部材１２ａは、複数の開口部を有する。複数の開口部は、第１嵌合部材１２ａの上部に設けられる。第１嵌合部材１２ａは、突出部Ａを有する。突出部Ａは、第１嵌合部材１２ａの下部に設けられる。突出部Ａは、左右方向の片側の一端側に水平に延伸する。例えば、突出部Ａは、第１嵌合部材１２ａの長手方向に対して水平な方向に延伸する。
【００２９】
第１嵌合部材１２ａは、一対のかごドア２の一方の下部に取り付けられる。第１嵌合部材１２ａは、ドアシュー２ａよりも一対のかごドア２の一方の戸当り側に取り付けられる。例えば、第１嵌合部材１２ａは、固定具１３により、かごドア２の一方の下部に取り付けられる。例えば、固定具１３は、ねじである。例えば、固定具１３は、リベットである。例えば、固定具１３が第１嵌合部材１２ａの複数の開口部と一対のかごドア２の一方の複数の開口部とに挿入されることにより、第１嵌合部材１２ａは、一対のかごドア２の一方の下部に取り付けられる。
【００３０】
第１嵌合部材１２ａにおいて、突出部Ａの延伸方向は、一対のかごドア２の一方の開閉方向と平行である。第１嵌合部材１２ａにおいて、突出部Ａは、かごドア２の他方側に向かって延伸する。
【００３１】
例えば、第２嵌合部材１２ｂは、板状の部材である。第２嵌合部材１２ｂは、上部と下部を有する。
【００３２】
第２嵌合部材１２ｂは、複数の開口部を有する。複数の開口部は、第２嵌合部材１２ｂの上部に設けられる。第２嵌合部材１２ｂは、受け部を有する。受け部は、第２嵌合部材１２ｂの下部に設けられる。例えば、受け部は、上部受け部Ｂと下部受け部Ｃとを有する。上部受け部Ｂと下部受け部Ｃとは、第２嵌合部材１２ｂの長手方向に対して水平な方向に延伸する。
【００３３】
第２嵌合部材１２ｂは、一対のかごドア２の他方の下部に取り付けられる。第２嵌合部材１２ｂは、ドアシュー２ｂよりも一対のかごドア２の他方の戸当り側に取り付けられる。例えば、第２嵌合部材１２ｂは、固定具１３により、一対のかごドア２の他方の下部に取り付けられる。例えば、固定具１３が第２嵌合部材１２ｂの複数の開口部と一対のかごドア２の他方の複数の開口部とに挿入されることにより、第２嵌合部材１２ｂは、一対のかごドア２の他方の下部に取り付けられる。
【００３４】
第２嵌合部材１２ｂにおいて、上部受け部Ｂと下部受け部Ｃの延伸方向は、一対のかごドア２の他方の開閉方向と平行である。第２嵌合部材１２ｂにおいて、上部受け部Ｂと下部受け部Ｃとは、かごドア２の一方側に向かって延伸する。
【００３５】
図３に示されるように、第１嵌合部材１２ａの下部は、溝４に挿入される。第１嵌合部材１２ａの下部は、一対のかごドア２の一方の開閉に追従して、溝４の内部を移動する。
【００３６】
図４に示されるように、第２嵌合部材１２ｂの下部は、溝４に挿入される。第２嵌合部材１２ｂの下部は、一対のかごドア２の他方の開閉に追従して、溝４の内部を移動する。
【００３７】
図５に示されるように、第２嵌合部材１２ｂの上部受け部Ｂと下部受け部Ｃとは、一対のかごドア２が完全に閉まった状態において、第１嵌合部材１２ａの突出部Ａを上下方向から挟み込む。例えば、第２嵌合部材１２ｂの上部受け部Ｂは、一対のかごドア２が完全に閉まった状態において、第１嵌合部材１２ａの突出部Ａの直上に配置される。例えば、第２嵌合部材１２ｂの下部受け部Ｃは、一対のかごドア２が完全に閉まった状態において、第１嵌合部材１２ａの突出部Ａの直下に配置される。例えば、第２嵌合部材１２ｂの上部受け部Ｂと下部受け部Ｃとは、溝４の内側において、第１嵌合部材１２ａの突出部Ａを上下方向から挟み込む。
【００３８】
一対のかごドア２が完全に閉まった状態において一対のかごドア２の一方にかご１の出入口の奥行方向等に衝撃荷重が作用した場合、一対のかごドア２の一方が撓む。その結果、第１嵌合部材１２ａの突出部Ａは、上方向に移動しようとする。この際、第１嵌合部材１２ａの突出部Ａは、第２嵌合部材１２ｂの上部受け部Ｂの下部に接する。このため、第１嵌合部材１２ａの突出部Ａは、上方向に移動することを抑制される。その結果、一対のかごドア２の一方の下端は、上方向に移動することを抑制される。この場合、一対のかごドア２の一方は、変位することを抑制される。このため、一対のドアシュー２ａは、溝４から外れることを抑制される。
【００３９】
一対のかごドア２が完全に閉まった状態において一対のかごドア２の他方にかご１の出入口の奥行方向等に衝撃荷重が作用した場合、一対のかごドア２の他方が撓む。その結果、第２嵌合部材１２ｂの下部受け部Ｃは、上方向に移動しようとする。この際、第２嵌合部材１２ｂの下部受け部Ｃは、第１嵌合部材１２ａの突出部Ａの下部に接する。このため、第２嵌合部材１２ｂの下部受け部Ｃは、上方向に移動することを抑制する。その結果、一対のかごドア２の他方の下端は、上方向に移動することを抑制される。この場合、一対のかごドア２の他方は、変位することを抑制される。このため、一対のドアシュー２ｂは、溝４から外れることが抑制される。
【００４０】
以上で説明した実施の形態１によれば、第２嵌合部材１２ｂは、一対のかごドア２が完全に閉まった状態において、第１嵌合部材を上下方向から挟み込む。このため、簡易な構造でエレベーターの一対のかごドア２のはずれを抑制することができる。
【００４１】
また、ドア外れ防止装置１２は、一対のかごドア２に取り付けられる。このため、かご敷居３がすでに取り付けられている場合であっても、かご敷居３を加工したり、かご敷居３を交換したりすることなく、ドア外れ防止装置１２を取り付けることができる。
【００４２】
実施の形態２．
図６は実施の形態２におけるエレベーターのドア外れ防止装置が適用されるかごドアの要部の正面図である。
【００４３】
図６に示されるように、実施の形態２の第１嵌合部材１２ａの上部は、実施の形態１の第１嵌合部材１２ａの上部と異なる。実施の形態２の第２嵌合部材１２ｂの上部は、実施の形態１の第２嵌合部材１２ｂの上部と異なる。
【００４４】
例えば、第１嵌合部材１２ａの上部は、平板状である。第１嵌合部材１２ａの上部は、固定部を有する。固定部は、第１嵌合部材１２ａの上部から一対のかごドア２の一方の戸袋側に延伸する。例えば、固定部は、複数の開口部を有する。例えば、複数の開口部は、固定部の下端側が開放された半円状の切り欠きである。例えば、複数の開口部同士の間隔は、ドアシュー２ａの複数の開口部同士の間隔と同一になるように設定される。
【００４５】
第１嵌合部材１２ａは、かごドア２の一方の下部に取り付けられる。例えば、第１嵌合部材１２ａは、固定具１３により、ドアシュー２ａとともにかごドア２の一方の下部に取り付けられる。具体的には、固定具１３がドアシュー２ａの複数の開口部と第１嵌合部材１２ａの複数の開口部とかごドア２の一方の下部の複数の開口部とを連通して挿入されることにより、第１嵌合部材１２ａとドアシュー２ａとは、かごドア２の一方の下部に取り付けられる。
【００４６】
例えば、第２嵌合部材１２ｂの上部は、平板状である。第２嵌合部材１２ｂの上部は、固定部を有する。固定部は、第２嵌合部材１２ｂの上部から一対のかごドア２の他方の戸袋側に延伸する。例えば、固定部は、複数の開口部を有する。例えば、複数の開口部は、固定部の下端側が開放された半円状の切り欠きである。例えば、複数の開口部同士の間隔は、ドアシュー２ｂの複数の開口部同士の間隔と同一になるように設定される。
【００４７】
第２嵌合部材１２ｂは、かごドア２の他方の下部に取り付けられる。例えば、第２嵌合部材１２ｂは、固定具１３により、ドアシュー２ｂとともにかごドア２の他方の下部に取り付けられる。具体的には、固定具１３がドアシュー２ｂの複数の開口部と第２嵌合部材１２ｂの複数の開口部とかごドア２の他方の下部の複数の開口部とを連通して挿入されることにより、第２嵌合部材１２ｂとドアシュー２ｂとは、かごドア２の他方の下部に取り付けられる。
【００４８】
以上で説明した実施の形態２によれば、第１嵌合部材１２ａの複数の開口部同士の間隔は、ドアシュー２ａの複数の開口部同士の間隔と同一になる。このため、ドアシュー２ａと第１嵌合部材１２ａとを一度の作業で取り付けることができる。
【００４９】
また、第２嵌合部材１２ｂの複数の開口部同士の間隔は、ドアシュー２ｂの複数の開口部同士の間隔と同一になる。このため、ドアシュー２ｂと第２嵌合部材１２ｂを一度の作業で取り付けることができる。
【００５０】
また、第１嵌合部材１２ａの複数の開口部は、第１嵌合部材１２ａの固定部の下端が開いた半円状の切り欠きである。このため、ドアシュー２ａがすでに取り付けられている場合であっても、第１嵌合部材１２ａを後付けすることができる。
【００５１】
また、第２嵌合部材１２ｂの複数の開口部は、第２嵌合部材１２ｂの固定部の下端が開いた半円状の切り欠きである。このため、ドアシュー２ｂがすでに取り付けられている場合であっても、第２嵌合部材１２ｂを後付けすることができる。
【００５２】
なお、実施の形態１または実施の形態２のドア外れ防止装置１２をエレベーターの一対の乗場ドアに適用してもよい。この場合、簡易な構造でエレベーターの一対の乗場ドアのはずれを抑制することができる。
【産業上の利用可能性】
【００５３】
以上のように、本開示のエレベーターのドア外れ防止装置は、エレベーターに利用できる。
【符号の説明】
【００５４】
１  かご、  １ａ  天井、  ２  かごドア、  ２ａ  ドアシュー、  ２ｂ  ドアシュー、  ３  かご敷居、  ４  溝、  ５  ドアハンガー、  ６  前方ローラ、  ７  後方ローラ、  ８  連結具、  ９  ハンガーレール、  １０  プーリ、  １１  回転電機、  １２  ドア外れ防止装置、  １２ａ  第１嵌合部材、  １２ｂ  第２嵌合部材、  １３  固定具
【要約】
簡易な構造でエレベーターのドアのはずれを防止することができるエレベーターのドア外れ防止装置を提供する。エレベーターのドア外れ防止装置は、エレベーターの一対のドアの一方の下部に取り付けられ、前記一対のドアの他方の側に平行に延伸した第１嵌合部材と、前記一対のドアの他方の下部に取り付けられ、前記一対のドアが閉まった状態において、前記第１嵌合部材を上下方向から挟み込む第２嵌合部材と、を備えた。当該構成によれば、簡易な構造でエレベーターのドアのはずれを防止することができる。【図１】
0006969702.tif 000002
【図２】
0006969702.tif 000003
【図３】
0006969702.tif 000004
【図４】
0006969702.tif 000005
【図５】
0006969702.tif 000006
【図６】
0006969702.tif 000007